【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
梗塞血管を処置する方法であって：
梗塞血管を同定し、該血管中の梗塞部位もしくはこの近傍の移植部位を同定すること；
選択された該移植部位へと向かう該梗塞血管中へ、拡張可能な医療装置を供給すること；
該移植部位に、該医療装置を移植すること；ならびに
該移植部位にある組織への適切な血流を再確立するのに充分な持続期間に亘り、拡張可能な該医療装置から、該組織へと、血管新生組成物を供給すること
を含む方法。
【請求項２】
前記血管新生組成物が、拡張可能な前記医療装置中の開口部中に配置される、請求項１の方法。
【請求項３】
拡張可能な前記医療装置が、内側表面および外側表面を持つ１つ以上の支柱部品を含み、ここで拡張可能な該医療装置の開口部が、該支柱部品の該外側表面を横断する、請求項２の方法。
【請求項４】
前記開口部が、拡張可能な医療装置の前記支柱の内側表面に配置される障壁層と共に提供される、請求項２の方法。
【請求項５】
前記血管新生組成物が、前記障壁層から外側に向かって放射状に配置される、請求項４の方法。
【請求項６】
前記血管新生組成物が、生体受食性マトリックスに懸濁される１つ以上の血管新生ポリペプチドを含む、請求項１の方法。
【請求項７】
前記血管新生ポリペプチドが、天然のポリペプチドである、請求項６の方法。
【請求項８】
前記血管新生ポリペプチドが、組み換えポリペプチドである、請求項６の方法。
【請求項９】
前記血管新生ポリペプチドが、ＶＥＧＦ、ＦＧＦ、およびＨＧＦからなる群から選択される、請求項６の方法。
【請求項１０】
前記血管新生組成物が更にＡｎｇ１ポリペプチドを含む、請求項９の方法。
【請求項１１】
前記血管新生組成物が第１の薬剤および第２の薬剤を含み、第１および第２の該薬剤が連続的に供給されるように配置される、請求項１の方法。
【請求項１２】
第１の前記薬剤がＶＥＧＦであり、第２の前記薬剤がアンジオ（アンギオ）ゲニンであり、第１の該薬剤が第２の該薬剤の前に実質的に供給される、請求項１１の方法。
【請求項１３】
第１の前記薬剤が、少なくとも１週間に亘って供給される、請求項１１の方法。
【請求項１４】
第２の前記薬剤が、少なくとも２週間に亘って供給される、請求項１１の方法。
【請求項１５】
前記血管新生組成物が、少なくとも１ヶ月間に亘って供給される、請求項１の方法。
【請求項１６】
前記血管新生組成物が拡張可能な前記医療装置中の開口部中に配置され、該血管新生組成物が該開口部から突き出て、該装置から突き出た突出を形成する、請求項１の方法。
【請求項１７】
血管新生組成物を梗塞血管へと供給する方法であって：
ａ）梗塞血管を同定し、該血管中の梗塞部位もしくはこの近傍の移植部位を同定するステップ；
ｂ）血管新生組成物を、拡張可能な医療装置に供給するステップ；
ｃ）該血管新生組成物を有する拡張可能な該医療装置を、該移植部位へと供給するステップ；ならびに
ｄ）自己持続性血管を作り出すのに充分な期間に亘り、該血管新生組成物の持続性供給により、血管新生を刺激するステップ
を含む方法。
【請求項１８】
前記血管新生組成物が、拡張可能な前記医療装置中の開口部中に配置される、請求項１７の方法。
【請求項１９】
拡張可能な前記医療装置が、内側表面および外側表面を持つ１つ以上の支柱部品を含み、ここで拡張可能な該医療装置の開口部が、該支柱部品の該外側表面を横断する、請求項１８の方法。
【請求項２０】
前記開口部が、拡張可能な医療装置の前記支柱の内側表面に配置される障壁層と共に提供される、請求項１９の方法。
【請求項２１】
前記血管新生組成物が、前記障壁層から外側に向かって放射状に配置される、請求項２０の方法。
【請求項２２】
前記血管新生組成物が、生体受食性マトリックスに懸濁される１つ以上の血管新生ポリペプチドを含む、請求項１７の方法。
【請求項２３】
前記血管新生ポリペプチドが天然のポリペプチドである、請求項２２の方法。
【請求項２４】
前記血管新生ポリペプチドが組み換えポリペプチドである、請求項２２の方法。
【請求項２５】
前記血管新生ポリペプチドが、ＶＥＧＦ、ＦＧＦ、およびＨＧＦからなる群から選択される、請求項２２の方法。
【請求項２６】
前記血管新生組成物が更にＡｎｇ１ポリペプチドを含む、請求項２２の方法。
【請求項２７】
前記血管新生組成物が第１の薬剤および第２の薬剤を含み、第１および第２の該薬剤が連続的に供給されるように配置される、請求項１７の方法。
【請求項２８】
第１の前記薬剤がＶＥＧＦであり、第２の前記薬剤がアンジオ（アンギオ）ゲニンであり、第１の該薬剤が第２の該薬剤の前に実質的に供給される、請求項２７の方法。
【請求項２９】
第１の前記薬剤が、少なくとも１週間に亘って供給される、請求項２７の方法。
【請求項３０】
第２の前記薬剤が、少なくとも２週間に亘って供給される、請求項２７の方法。
【請求項３１】
前記血管新生組成物が、少なくとも１ヶ月間に亘って供給される、請求項１７の方法。
【請求項３２】
一連の血管新生組成物を慢性全梗塞動脈へと供給する方法であって：
ａ）梗塞血管を同定し、該血管中の梗塞部位もしくはこの近傍の移植部位を同定するステップ；
ｂ）拡張可能な医療装置（ステント）からの連続供給用に配置された第１の血管新生組成物および第２の血管新生組成物を有する該ステントを提供するステップ；
ｃ）第１および第２の該血管新生組成物を有する拡張可能な該医療装置を、該移植部位へと供給するステップ；ならびに
ｄ）第１および第２の該血管新生組成物を、該移植部位において連続的に供給するステップ
を含む方法。
【請求項３３】
第１および第２の前記血管新生組成物が、拡張可能な前記医療装置中の開口部中に配置される、請求項３２の方法。
【請求項３４】
拡張可能な前記医療装置が、内側表面および外側表面を持つ１つ以上の支柱部品を含み、ここで拡張可能な該医療装置の開口部が、該支柱部品の該外側表面を横断する、請求項３３の方法。
【請求項３５】
前記開口部が、拡張可能な医療装置の前記支柱の内側表面に配置される障壁層と共に提供される、請求項３３の方法。
【請求項３６】
第１および第２の前記血管新生組成物が、前記障壁層から外側に向かって放射状に配置される、請求項３５の方法。
【請求項３７】
第１および第２の前記血管新生組成物が、生体受食性マトリックスに懸濁される、請求項３２の方法。
【請求項３８】
第１の前記血管新生組成物が、少なくとも１週間に亘って供給される、請求項３２の方法。
【請求項３９】
第２の前記血管新生組成物が、少なくとも２週間に亘って供給される、請求項３２の方法。
【請求項４０】
有益な薬剤を供給する装置であって：
ａ）複数の開口部を有する複数の支柱を持つ拡張可能な医療装置；ならびに
ｂ）生体再吸収性マトリックス中の複数の該開口部中に含有される血管新生組成物であって、その血管新生剤およびマトリックスが、少なくとも１週間に亘って該装置の血管壁側への該血管新生剤の投与用の形状をしている血管新生組成物
を含む装置。
【請求項４１】
前記開口部が、拡張可能な医療装置の前記支柱の内側表面に配置される障壁層と共に提供される、請求項４０の方法。
【請求項４２】
前記血管新生組成物が、前記障壁層から外側に向かって放射状に配置される、請求項４１の方法。
【請求項４３】
前記血管新生組成物が、生体受食性マトリックスに懸濁される１つ以上の血管新生ポリペプチドを含む、請求項４０の方法。
【請求項４４】
前記血管新生ポリペプチドが天然のポリペプチドである、請求項４３の方法。
【請求項４５】
前記血管新生ポリペプチドが組み換えポリペプチドである、請求項４４の方法。
【請求項４６】
前記血管新生ポリペプチドが、ＶＥＧＦ、ＦＧＦ、およびＨＧＦからなる群から選択される、請求項４４の方法。
【請求項４７】
前記血管新生組成物が更にＡｎｇ１ポリペプチドを含む、請求項４４の方法。
【請求項４８】
前記血管新生組成物が第１の薬剤および第２の薬剤を含み、第１および第２の該薬剤が連続的に供給されるように配置される、請求項４０の方法。
【請求項４９】
第１の前記薬剤がＶＥＧＦであり、第２の前記薬剤がアンジオ（アンギオ）ゲニンであり、第１の該薬剤が第２の該薬剤の前に実質的に供給される、請求項４８の方法。
【請求項５０】
第１の前記薬剤が、少なくとも１週間に亘って供給されるような形状とされる、請求項４８の方法。
【請求項５１】
第２の前記薬剤が、少なくとも２週間に亘って供給されるような形状とされる、請求項４８の方法。
【請求項５２】
前記血管新生組成物が、少なくとも１ヶ月間に亘って供給されるような形状とされる、請求項４０の方法。
【請求項５３】
拡張可能な前記医療装置中の開口部中に配置された前記血管新生組成物が、該開口部から突き出て、該装置から突き出た突出を形成する、請求項４０の装置。
【請求項５４】
有益な薬剤を供給する装置であって：
ａ）複数の開口部を有する複数の支柱を持つ拡張可能な医療装置；
ｂ）複数の該開口部中に含有される第１の血管新生剤；ならびに
ｃ）複数の該開口部中に含有される第２の血管新生剤
を含み、ここで第１および第２の該血管新生剤が、該装置の周囲の組織への連続供給のために、該開口部中において配置される装置。
【請求項５５】
前記開口部が、拡張可能な医療装置の前記支柱の内側表面に配置される障壁層と共に提供される、請求項５４の方法。
【請求項５６】
第１および第２の前記血管新生組成物が、前記障壁層から外側に向かって放射状に配置される、請求項５５の方法。
【請求項５７】
第１および第２の前記血管新生組成物が、生体受食性マトリックスに懸濁される、請求項５４の方法。
【請求項５８】
第１および第２の前記血管新生組成物が、ＶＥＧＦ、ＦＧＦ、およびＨＧＦからなる群から選択される、請求項５４の方法。
【請求項５９】
第１の前記血管新生組成物が、少なくとも１週間に亘って供給されるような形状とされる、請求項５４の方法。
【請求項６０】
第２の前記血管新生組成物が、少なくとも２週間に亘って供給されるような形状とされる、請求項５４の方法。
【請求項６１】
血管新生組成物を供給することが、ＴＧＦ−β１を供給することを含む、請求項１の方法。
【請求項６２】
前記血管新生組成物の持続性供給により血管新生を刺激することが、ＴＧＦ−β１を供給することを含む、請求項１７の方法。
【請求項６３】
前記第１の前記血管新生組成物および前記第２の前記血管新生組成物のうちの少なくとも１組成物が、ＴＧＦ−β１を含む、請求項３２の方法。